(57)【特許請求の範囲】
【請求項１】
無線フレーム中の、サービスを提供するために１つまたは複数の近隣基地局によって使用されるサブフレームを判断することと、
前記判断されたサブフレーム、および、前記無線フレーム中の前記判断されたサブフレームと残りのサブフレームとの間の電力変動または前記判断されたサブフレーム内のシンボル間の電力変動を示す情報をユーザ機器（ＵＥ）に送ることと、
第１の電力で前記判断されたサブフレームの各々中のシンボルの第１のセット中で制御情報またはデータのうちの少なくとも１つを送信することと、
第２の電力で前記判断されたサブフレームの各々中のシンボルの第２のセット中で制御情報またはデータのうちの少なくとも１つを送信することと、
制御情報を送信するために前記１つまたは複数の近隣基地局によって使用される前記判断されたサブフレームの各々中のシンボルを判断することと、前記判断されたサブフレームの各々中の前記判断されたシンボルがシンボルの前記第１のセットであり、前記判断されたサブフレームの各々中の残りのシンボルがシンボルの前記第２のセットである、
を備える、基地局のワイヤレス通信の方法。
【請求項２】
前記第１の電力が前記第２の電力に等しく、前記方法が、前記第１の電力および前記第２の電力よりも大きい第３の電力で、前記無線フレーム中の前記判断されたサブフレーム以外の前記無線フレーム中の残りのサブフレームを送信することをさらに備える、請求項１に記載の方法。
【請求項３】
前記第２の電力が前記第１の電力よりも小さい、請求項１に記載の方法。
【請求項４】
前記第１の電力で前記無線フレーム中の前記判断されたサブフレーム以外の前記無線フレーム中の残りのサブフレームを送信することをさらに備える、請求項３に記載の方法。
【請求項５】
前記判断されたサブフレームの各々中の、シンボルの前記第１のセットとシンボルの前記第２のセットとの中で前記送信することが、
シンボルの前記第１のセット中で前記第１の電力で制御情報を送信することと、
シンボルの前記第２のセットのシンボルの第１のサブセット中で前記第２の電力で制御情報を送信することと、
シンボルの前記第２のセットのシンボルの第２のサブセット中で前記第２の電力でデータを送信することと
を備える、請求項１に記載の方法。
【請求項６】
前記判断されたサブフレームの各々中の、シンボルの前記第１のセットとシンボルの前記第２のセットとの中で前記送信することが、
シンボルの前記第１のセット中で前記第１の電力で制御情報を送信することと、
シンボルの前記第２のセット中で前記第２の電力でデータを送信することと
を備える、請求項１に記載の方法。
【請求項７】
前記第２の電力は、シンボルの前記第２のセット中でデータが送信されないように０に等しい、請求項６に記載の方法。
【請求項８】
前記判断されたサブフレームの各々中の、シンボルの前記第１のセットとシンボルの前記第２のセットとの中で前記送信することが、
シンボルの前記第１のセットのシンボルの第１のサブセット中で前記第１の電力で制御情報を送信することと、
シンボルの前記第１のセットのシンボルの第２のサブセット中で前記第１の電力でデータを送信することと、
シンボルの前記第２のセット中で前記第２の電力でデータを送信することと
を備える、請求項１に記載の方法。
【請求項９】
前記判断されたサブフレームが、前記１つまたは複数の近隣基地局によって使用されるマルチキャストブロードキャスト単一周波数ネットワーク（ＭＢＳＦＮ）サブフレームと同時に存在する、請求項１に記載の方法。
【請求項１０】
前記シンボルが直交周波数分割多重化（ＯＦＤＭ）シンボルである、請求項１に記載の方法。
【請求項１１】
無線フレーム中の、サービスを提供するために１つまたは複数の近隣基地局によって使用されるサブフレーム、および、前記無線フレーム中の前記示されたサブフレームと残りのサブフレームとの間の電力変動または前記示されたサブフレーム内のシンボル間の電力変動を示す情報を基地局から受信することと、
前記情報に基づいて自動利得制御（ＡＧＣ）利得を調整することと、
前記無線フレーム中の、前記示されたサブフレーム中でデータなしの制御情報ならびに残りのサブフレーム中で制御情報およびデータを受信することと、前記ＡＧＣ利得は、前記示されたサブフレーム中で前記制御情報を搬送するシンボルと、前記残りのサブフレーム中で前記制御情報および前記データを搬送するシンボルとに基づいて調整される、
を備える、ワイヤレス通信の方法。
【請求項１２】
トラフィック対パイロット比を受信することと、
前記トラフィック対パイロット比と前記電力変動とに基づいて受信データを復号することと
をさらに備える、請求項１１に記載の方法。
【請求項１３】
前記示されたサブフレームが、サービスを提供するために前記１つまたは複数の近隣基地局によって使用されるマルチキャストブロードキャスト単一周波数ネットワーク（ＭＢＳＦＮ）サブフレームと同時に存在する、請求項１１に記載の方法。
【請求項１４】
無線フレーム中の、サービスを提供するために１つまたは複数の近隣基地局によって使用されるサブフレームを判断するための手段と、
前記判断されたサブフレーム、および、前記無線フレーム中の前記判断されたサブフレームと残りのサブフレームとの間の電力変動または前記判断されたサブフレーム内のシンボル間の電力変動を示す情報をユーザ機器（ＵＥ）に送るための手段と、
第１の電力で前記判断されたサブフレームの各々中のシンボルの第１のセット中で制御情報またはデータのうちの少なくとも１つを送信するための手段と、
第２の電力で前記判断されたサブフレームの各々中のシンボルの第２のセット中で制御情報またはデータのうちの少なくとも１つを送信するための手段と、
制御情報を送信するために前記１つまたは複数の近隣基地局によって使用される前記判断されたサブフレームの各々中のシンボルを判断するための手段と、前記判断されたサブフレームの各々中の前記判断されたシンボルがシンボルの前記第１のセットであり、前記判断されたサブフレームの各々中の残りのシンボルがシンボルの前記第２のセットである、
を備える、ワイヤレス通信のための基地局装置。
【請求項１５】
前記第１の電力が前記第２の電力に等しく、前記装置が、前記第１の電力および前記第２の電力よりも大きい第３の電力で、前記無線フレーム中の前記判断されたサブフレーム以外の前記無線フレーム中の残りのサブフレームを送信するための手段をさらに備える、請求項１４に記載の装置。
【請求項１６】
前記第２の電力が前記第１の電力よりも小さい、請求項１４に記載の装置。
【請求項１７】
前記第１の電力で前記無線フレーム中の前記判断されたサブフレーム以外の前記無線フレーム中の残りのサブフレームを送信するための手段をさらに備える、請求項１６に記載の装置。
【請求項１８】
前記判断されたサブフレームの各々中の、シンボルの前記第１のセットとシンボルの前記第２のセットとの中で送信するための前記手段が、
シンボルの前記第１のセット中で前記第１の電力で制御情報を送信するための手段と、
シンボルの前記第２のセットのシンボルの第１のサブセット中で前記第２の電力で制御情報を送信するための手段と、
シンボルの前記第２のセットのシンボルの第２のサブセット中で前記第２の電力でデータを送信するための手段と
を備える、請求項１４に記載の装置。
【請求項１９】
前記判断されたサブフレームの各々中の、シンボルの前記第１のセットとシンボルの前記第２のセットとの中で送信するための前記手段が、
シンボルの前記第１のセット中で前記第１の電力で制御情報を送信するための手段と、
シンボルの前記第２のセット中で前記第２の電力でデータを送信するための手段と
を備える、請求項１４に記載の装置。
【請求項２０】
前記第２の電力は、シンボルの前記第２のセット中でデータが送信されないように０に等しい、請求項１９に記載の装置。
【請求項２１】
前記判断されたサブフレームの各々中の、シンボルの前記第１のセットとシンボルの前記第２のセットとの中で送信するための前記手段が、
シンボルの前記第１のセットのシンボルの第１のサブセット中で前記第１の電力で制御情報を送信するための手段と、
シンボルの前記第１のセットのシンボルの第２のサブセット中で前記第１の電力でデータを送信するための手段と、
シンボルの前記第２のセット中で前記第２の電力でデータを送信するための手段と
を備える、請求項１４に記載の装置。
【請求項２２】
前記判断されたサブフレームが、前記１つまたは複数の近隣基地局によって使用されるマルチキャストブロードキャスト単一周波数ネットワーク（ＭＢＳＦＮ）サブフレームと同時に存在する、請求項１４に記載の装置。
【請求項２３】
前記シンボルが直交周波数分割多重化（ＯＦＤＭ）シンボルである、請求項１４に記載の装置。
【請求項２４】
無線フレーム中の、サービスを提供するために１つまたは複数の近隣基地局によって使用されるサブフレームを示し、および、前記無線フレーム中の前記示されたサブフレームと残りのサブフレームとの間の電力変動または前記示されたサブフレーム内のシンボル間の電力変動を示す情報を基地局から受信するための手段と、
前記情報に基づいて自動利得制御（ＡＧＣ）利得を調整するための手段と、
前記無線フレーム中の、前記示されたサブフレーム中でデータなしの制御情報ならびに残りのサブフレーム中で制御情報およびデータを受信するための手段と、なお、前記ＡＧＣ利得が、前記示されたサブフレーム中で前記制御情報を搬送するシンボルと、前記残りのサブフレーム中で前記制御情報および前記データを搬送するシンボルとに基づいて調整される、
を備える、ワイヤレス通信のための装置。
【請求項２５】
トラフィック対パイロット比を受信するための手段と、
前記トラフィック対パイロット比と前記電力変動とに基づいて受信データを復号するための手段と
をさらに備える、請求項２４に記載の装置。
【請求項２６】
前記示されたサブフレームが、サービスを提供するために前記１つまたは複数の近隣基地局によって使用されるマルチキャストブロードキャスト単一周波数ネットワーク（ＭＢＳＦＮ）サブフレームと同時に存在する、請求項２４に記載の装置。
【請求項２７】
無線フレーム中の、サービスを提供するために１つまたは複数の近隣基地局によって使用されるサブフレームを判断することと、
前記判断されたサブフレーム、および、前記無線フレーム中の前記判断されたサブフレームと残りのサブフレームとの間の電力変動または前記判断されたサブフレーム内のシンボル間の電力変動を示す情報をユーザ機器（ＵＥ）に送ることと、
第１の電力で前記判断されたサブフレームの各々中のシンボルの第１のセット中で制御情報またはデータのうちの少なくとも１つを送信することと、
第２の電力で前記判断されたサブフレームの各々中のシンボルの第２のセット中で制御情報またはデータのうちの少なくとも１つを送信することと、
制御情報を送信するために前記１つまたは複数の近隣基地局によって使用される前記判断されたサブフレームの各々中のシンボルを判断することと、前記判断されたサブフレームの各々中の前記判断されたシンボルがシンボルの前記第１のセットであり、前記判断されたサブフレームの各々中の残りのシンボルがシンボルの前記第２のセットである、
を行うように構成された処理システム
を備える、ワイヤレス通信のための基地局装置。
【請求項２８】
無線フレーム中の、サービスを提供するために１つまたは複数の近隣基地局によって使用されるサブフレームを示し、および、前記無線フレーム中の前記示されたサブフレームと残りのサブフレームとの間の電力変動または前記示されたサブフレーム内のシンボル間の電力変動を示す情報を基地局から受信することと、
前記情報に基づいて自動利得制御（ＡＧＣ）利得を調整することと、
前記無線フレーム中の、前記示されたサブフレーム中でデータなしの制御情報ならびに残りのサブフレーム中で制御情報およびデータを受信することと、前記ＡＧＣ利得は、前記示されたサブフレーム中で前記制御情報を搬送するシンボルと、前記残りのサブフレーム中で前記制御情報および前記データを搬送するシンボルとに基づいて調整される、
を行うように構成された処理システム
を備える、ワイヤレス通信のための装置。
【請求項２９】
コンピュータに、
無線フレーム中の、サービスを提供するために１つまたは複数の近隣基地局によって使用されるサブフレームを判断する手順と、
前記判断されたサブフレーム、および、前記無線フレーム中の前記判断されたサブフレームと残りのサブフレームとの間の電力変動または前記判断されたサブフレーム内のシンボル間の電力変動を示す情報をユーザ機器（ＵＥ）に送る手順と、
第１の電力で前記判断されたサブフレームの各々中のシンボルの第１のセット中で制御情報またはデータのうちの少なくとも１つを送信する手順と、
第２の電力で前記判断されたサブフレームの各々中のシンボルの第２のセット中で制御情報またはデータのうちの少なくとも１つを送信する手順と、
制御情報を送信するために前記１つまたは複数の近隣基地局によって使用される前記判断されたサブフレームの各々中のシンボルを判断する手順と、前記判断されたサブフレームの各々中の前記判断されたシンボルがシンボルの前記第１のセットであり、前記判断されたサブフレームの各々中の残りのシンボルがシンボルの前記第２のセットである、
を行わせるプログラム。
【請求項３０】
コンピュータに、
無線フレーム中の、サービスを提供するために１つまたは複数の近隣基地局によって使用されるサブフレームを示し、および前記無線フレーム中の前記示されたサブフレームと残りのサブフレームとの間の電力変動または前記示されたサブフレーム内のシンボル間の電力変動を示す情報を基地局から受信する手順と、
前記情報に基づいて自動利得制御（ＡＧＣ）利得を調整する手順と、
前記無線フレーム中の、前記示されたサブフレーム中でデータなしの制御情報ならびに残りのサブフレーム中で制御情報およびデータを受信する手順と、前記ＡＧＣ利得は、前記示されたサブフレーム中で前記制御情報を搬送するシンボルと、前記残りのサブフレーム中で前記制御情報および前記データを搬送するシンボルとに基づいて調整される、
を行わせるプログラム。
【発明の詳細な説明】
【技術分野】
【０００１】
関連出願の相互参照
本出願は、それぞれの全体がともに参照により本明細書に明確に組み込まれる、２０１１年５月５日に出願された「METHOD AND APPARATUS FOR MANAGING MULTICAST/BROADCAST SINGLE FREQUENCY NETWORK (MBSFN) AREA RESERVED CELLS IN A WIRELESS COMMUNICATION SYSTEM」と題する米国仮出願第６１／４８２，９１０号、および２０１２年５月１日に出願された「MANAGING RESERVED CELLS AND USER EQUIPMENTS IN AN MBSFN ENVIRONMENT WITHIN A WIRELESS COMMUNICATION SYSTEM」と題する米国特許出願第１３／４６１，６０２号の利益を主張する。
【０００２】
本開示は、一般に通信システムに関し、より詳細には、ワイヤレス通信システム内のマルチキャストブロードキャスト単一周波数ネットワーク（ＭＢＳＦＮ：Multicast Broadcast Single Frequency Network）環境において予約済みセルとユーザ機器（ＵＥ）とを管理することに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はＬｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
本開示の一態様では、方法、コンピュータプログラム製品、および装置が提供される。本装置は基地局であり得る。本装置は、無線フレーム中の、サービスを提供するために１つまたは複数の近隣基地局によって使用されるサブフレームを判断する。本装置は、判断されたサブフレームを示す情報をＵＥに送る。
【０００６】
本開示の一態様では、方法、コンピュータプログラム製品、および装置が提供される。本装置は基地局であり得る。本装置は、無線フレーム中の、サービスを提供するために１つまたは複数の近隣基地局によって使用されるサブフレームを判断する。本装置は、無線フレーム中の判断されたサブフレーム以外の残りのサブフレーム中で第１の電力で送信する。本装置は、第２の電力と第１の電力との間の差がしきい値よりも小さいように第１の電力に基づいて第２の電力を判断する。第２の電力は第１の電力よりも小さい。本装置は、判断されたサブフレーム中のシンボルのサブセット中で第２の電力で送信する。
【０００７】
本開示の一態様では、方法、コンピュータプログラム製品、および装置が提供される。本装置はＵＥであり得る。本装置は、無線フレーム中の、サービスを提供するために１つまたは複数の近隣基地局によって使用されるサブフレームを示す情報を基地局から受信する。本装置は、示されたサブフレームに基づいてＡＧＣ利得を調整する。
【図面の簡単な説明】
【０００８】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢ（ｅＮＢ）およびユーザ機器の一例を示す図。
【図７】マルチメディアブロードキャストオーバー単一周波数ネットワーク（Multi-Media Broadcast over a Single Frequency Network）中の発展型マルチキャストブロードキャストマルチメディアサービスを示す図。
【図８】例示的な方法を説明するための第１の図。
【図９】例示的な方法を説明するための第２の図。
【図１０】ワイヤレス通信の第１の方法のフローチャート。
【図１１】ワイヤレス通信の第２の方法のフローチャート。
【図１２】ワイヤレス通信の第３の方法のフローチャート。
【図１３】ワイヤレス通信の第４の方法のフローチャート。
【図１４】例示的なｅＮＢ装置中の異なるモジュール／手段／構成要素間のデータフローを示す概念データフロー図。
【図１５】処理システムを採用するｅＮＢ装置のためのハードウェア実装形態の一例を示す図。
【図１６】例示的なＵＥ装置中の異なるモジュール／手段／構成要素間のデータフローを示す概念データフロー図。
【図１７】処理システムを採用するＵＥ装置のためのハードウェア実装形態の一例を示す図。
【発明を実施するための形態】
【０００９】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１０】
次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１１】
例として、要素、または要素の任意の部分、または要素の任意の組合せは、１つまたは複数のプロセッサを含む「処理システム」を用いて実装され得る。プロセッサの例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１２】
したがって、１つまたは複数の例示的な実施形態では、説明する機能は、ハードウェア、ソフトウェア、ファームウェア、またはそれらの任意の組合せで実装され得る。ソフトウェアで実装した場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザーで光学的に再生する。上記の組合せもコンピュータ可読媒体の範囲内に含めるべきである。
【００１３】
図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１４】
Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例には、セルラー電話、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１５】
ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１６】
図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００１７】
アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ）（登録商標）、ならびにＴＤ−ＳＣＤＭＡ、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＯＦＤＭＡを採用するＦｌａｓｈ−ＯＦＤＭなど、ＣＤＭＡの他の変形態を採用するＵｎｉｖｅｒｓａｌ  Ｔｅｒｒｅｓｔｒｉａｌ  Ｒａｄｉｏ  Ａｃｃｅｓｓ（ＵＴＲＡ）に拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１８】
ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって達成される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１９】
空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコードすることによって達成され得る。セルのエッジにおいて良好なカバレージを達成するために、送信ダイバーシティと組み合わせてシングルストリームビームフォーミング送信が使用され得る。
【００２０】
以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２１】
図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中の通常サイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical downlink shared channel）がマッピングされるリソースブロック上でのみ送信される。各リソース要素によって搬送されるビット数は変調方式に依存する。すなわち、ＵＥが受信するリソースブロックが多いほど、また変調方式が高いほど、ＵＥのデータレートは高くなる。
【００２２】
図４は、ＬＴＥにおけるＵＬフレーム構造の一例を示す図４００である。ＵＬのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２３】
ＵＥには、ｅＮＢに制御情報を送信するために制御セクション中のリソースブロック４１０ａ、４１０ｂが割り当てられ得る。ＵＥには、ｅＮＢにデータを送信するためにデータセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００２４】
リソースブロックのセットは、初期システムアクセスを実行し、物理ランダムアクセスチャネル（ＰＲＡＣＨ：physical random access channel）４３０中でＵＬ同期を達成するために使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２５】
図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２６】
ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２７】
ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまたＨＡＲＱ動作を担当する。
【００２８】
制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２９】
図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３０】
送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、符号化および変調方式を判断するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３１】
ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６はＬ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３２】
コントローラ／プロセッサ６５９はＬ２レイヤを実装する。コントローラ／プロセッサは、プログラムコードおよびデータを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３３】
ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３４】
ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００３５】
ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３６】
コントローラ／プロセッサ６７５はＬ２レイヤを実装する。コントローラ／プロセッサ６７５は、プログラムコードおよびデータを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３７】
図７は、マルチメディアブロードキャストオーバー単一周波数ネットワーク（ＭＢＳＦＮ）中の発展型マルチキャストブロードキャストマルチメディアサービス（ｅＭＢＭＳ）を示す図７５０である。セル７５２’中のｅＮＢ７５２、セル７５６’中のｅＮＢ７５６は、第１のＭＢＳＦＮエリアを形成し得、セル７５４’中のｅＮＢ７５４、セル７５６’中のｅＮＢ７５６は、第２のＭＢＳＦＮエリアを形成し得る。（代替的に、セル７５６’中のｅＮＢ７５６は、第１のＭＢＳＦＮエリアまたは第２のＭＢＳＦＮエリアのうちの１つのみに関連し得る。）ｅＮＢ７５２、７５４、７５６は、他のＭＢＳＦＮエリア、たとえば、最高合計８つのＭＢＳＦＮエリアに関連し得る。ＭＢＳＦＮエリア内のセルが予約済みセルに指定され得る。たとえば、第１および第２のＭＢＳＦＮエリア内のセル７５６’は予約済みセルに指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で制限／低減電力を有する。ＭＢＳＦＮエリア中の予約済みセル以外の各ｅＮＢは、同じｅＭＢＭＳ制御情報およびデータを同期的に送信する。各エリアは、ブロードキャストサービス、マルチキャストサービス、およびユニキャストサービスをサポートし得る。ユニキャストサービスは、特定のユーザを対象とするサービス、たとえば、ボイス呼である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。図７を参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ：physical multicast channel）（たとえば、１５個のＰＭＣＨ）をサポートする。各ＰＭＣＨはマルチキャストチャネル（ＭＣＨ：multicast channel）に対応する。各ＭＣＨは、複数（たとえば、２９個）のマルチキャスト論理チャネルを多重化することができる。各ＭＢＳＦＮエリアは、１つのマルチキャスト制御チャネル（ＭＣＣＨ：multicast control channel）を有し得る。したがって、１つのＭＣＨは、１つのＭＣＣＨと複数のマルチキャストトラフィックチャネル（ＭＴＣＨ：multicast traffic channel）とを多重化し得、残りのＭＣＨは複数のＭＴＣＨを多重化し得る。
【００３８】
上記で説明したように、予約済みセルは、ＭＢＳＦＮ送信に寄与しないＭＢＳＦＮエリア内のセルである。例示的な実施形態では、予約済みセルは、他のサービスのために送信することを許可されるが、関連するＭＢＳＦＮエリア（たとえば、ＦＤＤのための無線フレーム内のサブフレーム１、２、３、６、７、８のうちの１つまたは複数およびＴＤＤのためのサブフレーム３、４、７、８、９のうちの１つまたは複数）でのＭＢＳＦＮ送信のために割り振られたリソース上で制限／低減電力で送信することを許可され得る。したがって、予約済みセルは、システム情報ブロック（ＳＩＢ）２（ＳＩＢ２）中でＭＢＳＦＮサブフレーム割振りを広告し得ない。さらに、予約済みセルは、ＭＣＣＨ変更を通知するためにＳＩＢ１３または物理ダウンリンク制御チャネル（ＰＤＣＣＨ：physical downlink control channel）を送信し得ない。予約済みセルは、ネットワークによって知られているが、ＵＥに対して透過的であり得る。したがって、ＵＥは、予約済みセルを標準非ＭＢＳＦＮユニキャストセルとして扱い得る。接続されたＵＥは、可能なＰＤＳＣＨ／ＰＵＳＣＨ割当てについて検査するために各サブフレーム上でＰＤＣＣＨを監視し得、ＵＬ  ＨＡＲＱタイムラインに従って、（ＡＣＫ／ＮＡＣＫフィードバックを搬送する）対応する物理ＨＡＲＱインジケータチャネル（ＰＨＩＣＨ：physical HARQ indicator channel）を復号することを試み得る。予約済みセルは、ＭＢＳＦＮエリアのためのＭＢＳＦＮリソース上でそれの送信電力を低減し得る。予約済みセルは、ＭＢＳＦＮエリアのためのＭＢＳＦＮサブフレーム中の制御シンボルに対応する（すなわち、ＭＢＳＦＮサブフレーム中の近隣ｅＮＢによってブロードキャストされるＭＢＳＦＮサービスのための制御シンボルに対応する）ＯＦＤＭシンボル上でのそれの送信電力を低減し得ない。たとえば、ＭＢＳＦＮサービスをブロードキャストするｅＮＢは、（拡張サイクリックプレフィックスで構成された）ＯＦＤＭシンボル０、１上のＭＢＳＦＮサブフレーム中で制御情報を送信し、ＯＦＤＭシンボル２〜１１上のＰＭＣＨ中で制御情報を送信し得る。同時に、予約済みセルは、（通常サイクリックプレフィックス構成を仮定すると）ＯＦＤＭシンボル０、１上で通常の電力で制御情報を送信し、ＯＦＤＭシンボル２〜１３上で制限／低減電力で制御情報を送信し得る。
【００３９】
ＰＨＩＣＨ持続時間（すなわち、ＯＦＤＭシンボルスパン）は、半静的に構成され得、物理ブロードキャストチャネル（ＰＢＣＨ：physical broadcast channel）において指定された構成に応じて通常または拡張であり得る。通常ＰＨＩＣＨ持続時間は、非ＭＢＳＦＮサブフレーム（たとえば、サブフレーム０、４、５、９、およびサブフレーム１、２、３、６、７、８のうちの０個以上）とＭＢＳＦＮサブフレーム（たとえば、サブフレーム１、２、３、６、７、８のうちの０個以上）の両方のためのものであり得る。拡張ＰＨＩＣＨ持続時間は、非ＭＢＳＦＮサブフレームでは３であり、ＭＢＳＦＮサブフレームでは２であり得る。非ＭＢＳＦＮサブフレーム中のＰＤＣＣＨ持続時間は、
【数１】
0005731067.tif 000002
【００４０】
では１、２、または３であり、
【数２】
0005731067.tif 000003
【００４１】
では２、３、または４であり得る。ＰＨＩＣＨ持続時間はＰＤＣＣＨ持続時間の下限を与える。ＭＢＳＦＮサブフレーム中のＰＤＣＣＨ持続時間は、
【数３】
0005731067.tif 000004
【００４２】
では１または２であり、
【数４】
0005731067.tif 000005
【００４３】
では２であり得る。したがって、近隣ｅＮＢのＭＢＳＦＮサブフレームと同時に存在する予約済みセルのサブフレーム（本明細書では「予約済みサブフレーム」と呼ぶ）では、制御は、
【数５】
0005731067.tif 000006
【００４４】
であり、通常ＰＨＩＣＨ持続時間が構成されたとき、１つ、２つ、または３つのＯＦＤＭシンボルにわたり、
【数６】
0005731067.tif 000007
【００４５】
であり、拡張ＰＨＩＣＨ持続時間が構成されたとき、３つのＯＦＤＭシンボルにわたり、
【数７】
0005731067.tif 000008
【００４６】
であり、通常ＰＨＩＣＨ持続時間が構成されたとき、２つ、３つ、または４つのＯＦＤＭシンボルにわたり、
【数８】
0005731067.tif 000009
【００４７】
であり、拡張ＰＨＩＣＨ持続時間が構成されたとき、３つまたは４つのＯＦＤＭシンボルにわたり得る。しかしながら、ＭＢＳＦＮサブフレームのための制御は、
【数９】
0005731067.tif 000010
【００４８】
であり、通常ＰＨＩＣＨ持続時間が構成されたとき、１つまたは２つのＯＦＤＭシンボルにわたり、
【数１０】
0005731067.tif 000011
【００４９】
または
【数１１】
0005731067.tif 000012
【００５０】
であり、拡張ＰＨＩＣＨ持続時間が構成されたとき、２つのＯＦＤＭシンボルにわたり得る。
【００５１】
予約済みサブフレームでは、予約済みセルは、ＭＢＳＦＮエリア中のＭＢＳＦＮサブフレーム中で制御シンボルと衝突する制御／データシンボル上で通常の電力で送信し、ＰＭＣＨシンボルと衝突する制御／データシンボル上で制限／低減電力で送信し得る。拡張ＰＨＩＣＨ持続時間が構成された場合、予約済みサブフレームの第３の制御シンボルは、常にＭＢＳＦＮサブフレームのＰＭＣＨシンボルと衝突し得る。たとえば、制御シンボルがＭＳＢＦＮサブフレーム中の２つのＯＦＤＭシンボルと予約済みサブフレーム中の３つのＯＦＤＭシンボルとにわたる場合、予約済みセルは、予約済みサブフレームの第１および第２のＯＦＤＭシンボル中で通常の電力で送信し、予約済みサブフレームの第３のＯＦＤＭシンボル中で制限／低減電力で送信し得る。
【００５２】
予約済みサブフレーム内のＯＦＤＭシンボルにわたって電力を変化させるのではなく、予約済みセルは、常に、予約済みサブフレーム中で制限／低減電力で送信し得る。したがって、予約済みセル電力変動は、非予約済みサブフレームと予約済みサブフレームとの間にあるか、または予約済みサブフレーム内のＯＦＤＭシンボル間にあり得る。予約済みセル電力変動により、予約済みセルによって（半静的に）シグナリングされたトラフィック対パイロット（Ｔ／Ｐ）比よりも低い実際のＴ／Ｐ比に関係する自動利得制御（ＡＧＣ：automatic gain control）利得調整問題および／または復号問題が生じ得る。ＡＧＣ利得に関して、ＵＥは、受信シンボルのエネルギーを判断し、判断されたエネルギーに基づいてＡＧＣ利得を調整し得る。エネルギーが、シンボルにわたって、特にサブフレームにわたって著しく変動するとき、ＵＥは不必要にＡＧＣ利得をブーストし得、それにより、非予約済み標準ユニキャストサブフレーム／シンボル中で信号クリッピングを引き起こすことがある。Ｔ／Ｐ比に関して、ＵＥは、それらのサービング予約済みセルからＴ／Ｐ比をシグナリングされ得る。ＵＥは、シングルユーザＭＩＭＯ（ＳＵ−ＭＩＭＯ）またはマルチユーザＭＩＭＯ（ＭＵ−ＭＩＭＯ）に基づいてＯＦＤＭシンボル中で受信された信号、あるいは１６ＱＡＭまたは６４ＱＡＭに基づいて変調された信号を復号するとき、シグナリングされたＴ／Ｐ比を使用し得る。ＯＦＤＭシンボル中の実際のＴ／Ｐ比がシグナリングされたＴ／Ｐ比とは異なるとき、ＵＥはそれらのＯＦＤＭシンボル中で制御情報／データを復号するのが困難であることがある。したがって、サブフレーム／シンボルにわたる予約済みセル電力変動に関係するＵＥ  ＡＧＣ利得調整、復号エラー、および／または他の問題を低減するための方法が必要である。
【００５３】
図８は、例示的な方法を説明するための第１の図８００である。第１のＭＢＳＦＮエリア内のｅＮＢ８０２は、無線フレーム８０２’内のＭＢＳＦＮサブフレーム１、６、７、および８中でＭＢＳＦＮサービスをブロードキャストする。無線フレーム８０２’内の残りのサブフレームはユニキャスト送信を搬送する。第２のＭＢＳＦＮエリア内のｅＮＢ８０４は、無線フレーム８０４’内のＭＢＳＦＮサブフレーム１、２、および３中でＭＢＳＦＮサービスをブロードキャストする。無線フレーム８０４’内の残りのサブフレームはユニキャスト送信を搬送する。予約済みセル８０６’’内のｅＮＢ８０６は、第１のＭＢＳＦＮエリア、第２のＭＢＳＦＮエリア、または第１のＭＢＳＦＮエリアと第２のＭＢＳＦＮエリアの両方内にあり得る。例示的な方法によれば、ｅＮＢ８０６は、無線フレーム中の、ＭＢＳＦＮサービスをブロードキャストするために１つまたは複数の近隣ｅＮＢ８０２および／または８０４によって使用されるサブフレームを判断する。たとえば、近隣ｅＮＢ８０２が、ＭＢＳＦＮサービスをブロードキャストするためにサブフレーム１、６、７、および８を使用し、近隣ｅＮＢ８０４が、ＭＢＳＦＮサービスをブロードキャストするためにサブフレーム１、２、および３を使用する場合、ｅＮＢ８０６は、サブフレーム１、２、３、６、７、および８が、ＭＢＳＦＮサービスをブロードキャストするために近隣ｅＮＢ８０２、８０４によって使用されると判断し得る。ｅＮＢ８０６は、次いで、予約済みサブフレームとしてサブフレーム１、６、７、８のうちの１つまたは複数を構成し、予約済みサブフレームとしてサブフレーム１、２、３のうちの１つまたは複数を構成し、または予約済みサブフレームとしてサブフレーム１、２、３、６、７、８のうちの１つまたは複数を構成すると判断し得る。ｅＮＢ８０６は、予約済みサブフレームとして無線フレーム８０６’のサブフレーム１、２、３、６、７、８を構成すると判断すると仮定する。無線フレーム８０６’中の予約済みサブフレームを判断すると、ｅＮＢ８０６は、予約済みサブフレームを示す情報８１０をＵＥ８０８に送り得る。受信された情報８１０に基づいて、ＵＥ８０８は、８１２においてＡＧＣ利得を調整し得る。
【００５４】
判断されたサブフレーム１、２、３、６、７、および８は予約済みサブフレームと呼ばれることがある。予約済みサブフレームでは、ｅＮＢ８０６は、ＵＥ８０８へのユニキャストＤＬ送信８１４の電力を変化させ得る。第１の構成では、ｅＮＢ８０６は、８１４において、通常の電力で非予約済みユニキャストサブフレーム０、４、５、および９中で送信し、制限／低減電力で予約済みサブフレーム１、２、３、６、７、および８中で送信する。第２の構成では、ｅＮＢ８０６は、８１４において、通常の電力で非予約済みユニキャストサブフレーム０、４、５、および９中で送信し、通常の電力と制限／低減電力の両方で予約済みサブフレーム１、２、３、６、７、および８中で送信する。そのような構成では、近隣ｅＮＢ８０２、８０４からの制御情報を搬送するＯＦＤＭシンボルと衝突する予約済みサブフレーム内のＯＦＤＭシンボルでは、ｅＮＢ８０６は、８１４において通常の電力で送信し、近隣ｅＮＢ８０２、８０４からのＰＭＣＨを搬送するＯＦＤＭシンボルと衝突する予約済みサブフレーム内のＯＦＤＭシンボルでは、ｅＮＢ８０６は、８１４において制限／低減電力で送信する。
【００５５】
また、情報８１０は、予約済みサブフレームと非予約済みサブフレームとの間の電力変動および／または予約済みサブフレーム内のシンボル間の電力変動を示し得る。情報８１０内の電力変動情報は、通常の電力と制限／低減電力、通常の電力と制限／低減電力との間の差、通常の電力と制限／低減電力との比、または通常の電力送信と制限／低減電力送信との間の電力変動を示す何らかの他のメトリックを示し得る。ＵＥ８０８は、８１２において、受信された電力変動情報に基づいてそれのＡＧＣ利得を調整し得る。情報８１０はまた、ＯＦＤＭシンボル／サブフレーム中で制限／低減電力で受信された制御情報／データのためのＴ／Ｐ比を示し得る。制限／低減電力ＤＬ送信８１４がＳＵ−ＭＩＭＯ、ＭＵ−ＭＩＭＯ、１６ＱＡＭ、または６４ＱＡＭに基づくとき、ＵＥ８０８は、示されたＴ／Ｐ比と情報８１０中に示された電力変動情報の両方に基づいて、制限／低減電力ＤＬ送信８１４を復号し得る。
【００５６】
一構成では、ｅＮＢ８０６は、予約済みサブフレームと、電力変動情報と、制限／低減電力送信のためのＴ／Ｐ比とを示す情報８１０を送信しない。そのような構成では、ＵＥ８０８はステップ８１２を実行しない。むしろ、ｅＮＢ８０６は、ＵＥ８０８において（ＤＬ送信８１４がＳＵ−ＭＩＭＯ、ＭＵ−ＭＩＭＯ、１６ＱＡＭ、または６４ＱＡＭに基づくときの）ＡＧＣ利得調整問題と復号問題とを低減するために、ＤＬ送信８１４のための電力の低減を制限する。ＤＬ送信８１４のための電力の低減を制限するとき、ｅＮＢ８０６は、８１６において、通常の電力と制限／低減電力との間の差がしきい値よりも小さいようにＤＬ送信８１４のための通常の電力に基づいて制限／低減電力を判断する。しきい値は、ＤＬ送信８１４がＳＵ−ＭＩＭＯ、ＭＵ−ＭＩＭＯ、１６ＱＡＭ、または６４ＱＡＭに基づくときの、シグナリングされたＴ／Ｐ比よりも小さい実際のＴ／Ｐ比に関係するＡＧＣ利得調整問題と復号問題とによる、ＵＥ８０８における許容性能損失に基づいて判断され得る。
【００５７】
さらに、ｅＮＢ８０６は、予約済みサブフレーム１、２、３、６、７、８中の制御情報を近隣ｅＮＢ８０２、８０４のＭＢＳＦＮサブフレーム中の制御情報と整合させることを試み得る。たとえば、近隣ｅＮＢ８０２、８０４が２のＰＤＣＣＨ持続時間を有する場合、ｅＮＢ８０６は、２以下のＰＤＣＣＨ持続時間を構成することを試み得る。制御情報を整合させることによって、ＵＥ８０８は、制御情報を受信し、復号することに関して性能損失を有しない。さらに、ｅＮＢ８０６は、近隣ｅＮＢ８０２、８０４のＰＤＣＣＨ持続時間に等しいＰＤＣＣＨ持続時間を構成することを試み得る。同じＰＤＣＣＨ持続時間を構成することによって、ＰＤＳＣＨを搬送するＯＦＤＭシンボルにわたる実際のＴ／Ｐは同じになる。制御情報の整合の一部として、ｅＮＢ８０６は、拡張ＰＨＩＣＨ持続時間（たとえば、３つのＯＦＤＭシンボル）を構成することを控え、通常ＰＨＩＣＨ持続時間（たとえば、１つＯＦＤＭシンボル）を使用することを判断し得る。ＭＢＳＦＮサブフレーム中で制御情報を搬送する２つ以下のＯＦＤＭシンボルがあると仮定すると、拡張ＰＨＩＣＨ持続時間を構成することは、ＭＢＳＦＮサブフレーム中の制御情報との予約済みサブフレーム中の制御情報の整合を防ぐことになる。ｅＮＢ８０６はまた、Ｔ／Ｐ変動問題を回避するために予約済みサブフレーム中でのＱＰＳＫランク１シングルユーザ送信を用いてＵＥ８０８をスケジュールすることを試み得る。
【００５８】
上記で説明したように、第１の構成では、ｅＮＢ８０６は、それの予約済みサブフレームを示し得、電力変動情報と、制限／低減ＤＬ送信のためのＴ／Ｐ比とをＵＥ８０８に与え得る。ＵＥ８０８に与えられた情報は、ＵＥ８０８が、予約済みサブフレームに関連する（すなわち、予約済みサブフレームと残りのサブフレームとの間のおよび／または予約済みサブフレーム内のＯＦＤＭシンボル間の）電力変動によるＡＧＣ利得調整と復号とへの悪影響を低減することを可能にする。第２の構成では、予約済みサブフレームはＵＥ８０８に対して完全に透過的であり得る。第２の構成では、予約済みサブフレームに関連する電力変動によるＡＧＣ利得調整と復号とへの悪影響を低減するために、ｅＮＢ８０６は、ＤＬ送信の電力の低減を制限し（たとえば、制限／低減電力と通常の電力との間の差がしきい値よりも小さいように維持し）、予約済みサブフレーム中の制御シンボルを１つまたは複数の近隣ｅＮＢのＭＢＳＦＮサブフレームの制御シンボルと整合させることを試み、シングルユーザＱＰＳＫランク１送信をスケジュールすることを試み得る。第３の構成では、ｅＮＢ８０６は予約済みセルとして構成され得ない。第３の構成では、ｅＮＢ８０６は、１つまたは複数の近隣ｅＮＢのＭＢＳＦＮサブフレームと同時に存在するサブフレーム上で、制限／低減電力で制御情報／データを送信しない。それの電力を制限／低減しないことによって、ＵＥ８０８は、電力変動によるＡＧＣ利得調整問題と復号問題とに遭遇しない。
【００５９】
図９は、例示的な方法を説明するための第２の図９００である。上記で説明したように、予約済みセルは、通常の電力で非予約済みユニキャストサブフレーム中で制御情報／データを送信し、制限／低減電力で予約済みサブフレーム中で制御情報／データを送信し得る。代替的に、予約済みサブフレームでは、予約済みセルは、制御情報を搬送するＭＢＳＦＮサブフレームのＯＦＤＭシンボルと重複／衝突するＯＦＤＭシンボル中で通常の電力で制御情報／データを送信し、ＰＭＣＨを搬送するＭＢＳＦＮサブフレームのＯＦＤＭシンボルと重複／衝突するＯＦＤＭシンボル中で制限／低減電力で制御情報／データを送信し得る。予約済みサブフレーム中のＯＦＤＭシンボルにわたるそのような電力変動を図９に示す。
【００６０】
図９に示すように、予約済みセルは、近隣ｅＮＢが、ＭＢＳＦＮサービスをブロードキャストするためにサブフレーム１、２、３、６、７、８を使用していると判断すると仮定する。したがって、予約済みセルでは、無線フレーム９０２のサブフレーム１、２、３、６、７、８は、ＯＦＤＭシンボルにわたる電力変動を伴う予約済みサブフレームとして扱われ得る。また、予約済みサブフレームでは、予約済みセルは、近隣ｅＮＢが制御情報の２つのＯＦＤＭシンボルとＰＭＣＨの１０個のＯＦＤＭシンボルと（拡張サイクリックプレフィックス構成では合計１２個のＯＦＤＭシンボル）を送信すると判断すると仮定する。サブフレーム９０４、９０６、９０８は、通常サイクリックプレフィックス構成では１４個のＯＦＤＭシンボルで示されている。サブフレーム９０４では、ＰＤＣＣＨ／ＰＨＩＣＨ持続時間は３つのＯＦＤＭシンボルである。サブフレーム９０４では、予約済みセルは、ＯＦＤＭシンボル０、１中で通常の電力で制御情報を送信し、ＯＦＤＭシンボル２中で制限／低減電力で制御情報を送信し、ＯＦＤＭシンボル３〜１３中で制限／低減電力でデータ（たとえば、ＰＤＳＣＨ）を送信する。サブフレーム９０６では、ＰＤＣＣＨ／ＰＨＩＣＨ持続時間は２つのＯＦＤＭシンボルである。サブフレーム９０６では、予約済みセルは、ＯＦＤＭシンボル０、１中で通常の電力で制御情報を送信し、ＯＦＤＭシンボル２〜１３中で制限／低減電力でデータを送信する。サブフレーム９０６では、制限／低減電力は０に等しくなり得、したがって、予約済みセルはいかなるデータも送信し得ない。サブフレーム９０８では、ＰＤＣＣＨ／ＰＨＩＣＨ持続時間は１つＯＦＤＭシンボルである。サブフレーム９０８では、予約済みセルは、ＯＦＤＭシンボル０中で通常の電力で制御情報を送信し、ＯＦＤＭシンボル１中で通常の電力でデータを送信し、ＯＦＤＭシンボル２〜１３中で制限／低減電力でデータを送信する。
【００６１】
図１０は、ワイヤレス通信の第１の方法のフローチャート１０００である。本方法は、予約済みセル８０６などの基地局／ｅＮＢによって実行され得る。ステップ１００２において、基地局は、無線フレーム中の、サービスを提供する（たとえば、ブロードキャストする）ために１つまたは複数の近隣基地局によって使用されるサブフレームを判断する。ステップ１００４において、基地局は、判断されたサブフレームを示す情報をＵＥに送る。その情報は、無線フレーム中の判断されたサブフレームと残りのサブフレームとの間の電力変動および／または判断されたサブフレーム内のシンボル間の電力変動をさらに示し得る。ステップ１００６において、基地局は、第１の電力で、判断されたサブフレームの各々中のシンボルの第１のセット中で制御情報および／またはデータを送信する。ステップ１００８において、基地局は、第２の電力で、判断されたサブフレームの各々中のシンボルの第２のセット中で制御情報および／またはデータを送信する。第１の電力は第２の電力に等しくなり得る。そのような構成では、ステップ１０１０において、基地局は、第１の電力および第２の電力よりも大きい第３の電力で、無線フレーム中の判断されたサブフレーム以外の無線フレーム中の残りのサブフレームを送信する。第２の電力は第１の電力よりも小さくなり得る。そのような構成では、ステップ１０１２において、基地局は、第１の電力で無線フレーム中の判断されたサブフレーム以外の無線フレーム中の残りのサブフレームを送信する。ステップ１０１２の後に、基地局は、図１２中に続くポイントＡに進み得る。判断されたサブフレームは、１つまたは複数の近隣基地局によって使用されるＭＢＳＦＮサブフレームと同時に存在し得る。それらのシンボルはＯＦＤＭシンボルであり得る。
【００６２】
たとえば、図８、図９を参照すると、ｅＮＢ８０６は、無線フレーム中のサブフレーム１、２、３、６、７、８が、ＭＢＳＦＮサービスをブロードキャストするために近隣ｅＮＢ８０２、８０４によって使用されると判断し得る。ｅＮＢ８０６は、次いで、サブフレーム１、２、３、６、７、８が無線フレーム８０６’内の予約済みサブフレームであると判断し得る。ｅＮＢ８０６は、判断された／予約済みサブフレーム１、２、３、６、７、８を示す情報８１０をＵＥ８０８に送る。情報８１０は、無線フレーム８０６’中の予約済みサブフレーム１、２、３、６、７、８と残りのサブフレーム０、４、５、９との間の電力変動および／または予約済みサブフレーム１、２、３、６、７、８内のＯＦＤＭシンボル間の電力変動をさらに示し得る。ｅＮＢ８０６は、第１の電力で予約済みサブフレームの各々中のシンボルの第１のセット中で制御情報および／またはデータを送信し得る。シンボルの第１のセットは、近隣ｅＮＢ８０２、８０４のＭＢＳＦＮサブフレーム内の制御シンボルと同時に存在するかまたはそれらと衝突するＯＦＤＭシンボルであり得る。ｅＮＢ８０６は、第２の電力で、判断されたサブフレームの各々中のシンボルの第２のセット中で制御情報および／またはデータを送信し得る。シンボルの第２のセットは、近隣ｅＮＢ８０２、８０４のＭＢＳＦＮサブフレーム内のＰＭＣＨシンボルと同時に存在するかまたはそれらと衝突するＯＦＤＭシンボルであり得る。第１の電力は第２の電力に等しくなり得、第１の電力と第２の電力の両方は制限／低減電力であり得る。そのような構成では、ｅＮＢ８０６は、（第１の電力および第２の電力に等しい）制限／低減電力で予約済みサブフレーム１、２、３、６、７、８中で制御情報／データを送信し、第３の電力で残りの非予約済みサブフレーム０、４、５、９中で制御情報／データを送信し得る。第３の電力は通常の非制限／非低減電力に等しくなり得る。第２の電力が第１の電力よりも小さい場合、第２の電力は制限／低減電力であり得、第１の電力は通常の非制限／非低減電力であり得る。サブフレーム９０４、９０６、９０８は、予約済みサブフレーム内の制御情報／データの送信のためのＯＦＤＭシンボルにわたるそのような電力変動を示す。
【００６３】
図１１は、ワイヤレス通信の第２の方法のフローチャート１１００である。本方法は、ｅＮＢ８０６などの基地局／ｅＮＢによって実行され得る。ステップ１１０２において、基地局は、無線フレーム中の、サービスを提供するために１つまたは複数の近隣基地局によって使用されるサブフレームを判断する。ステップ１１０４において、基地局は、無線フレーム中の判断されたサブフレーム以外の残りのサブフレーム中で第１の電力で送信する。ステップ１１１４において、基地局は、第２の電力と第１の電力との間の差がしきい値よりも小さいように第１の電力に基づいて、第１の電力よりも小さい第２の電力を判断する。ステップ１１１６において、基地局は、判断されたサブフレーム中のシンボルのサブセット中で第２の電力で送信する。ステップ１１１６の後に、基地局は、図１２中に続くポイントＡに進み得る。
【００６４】
たとえば、図８を参照すると、ｅＮＢ８０６は、無線フレーム中のサブフレーム１、２、３、６、７、８がＭＢＳＦＮサービスをブロードキャストするためにｅＮＢ８０２、８０４によって使用されると判断し得る。ｅＮＢ８０６は、次いで、サブフレーム１、２、３、６、７、８が無線フレーム８０６’内の予約済みサブフレームであると判断し得る。ｅＮＢ８０６は、無線フレーム８０６’中の予約済みサブフレーム１、２、３、６、７、８以外の残りのサブフレーム０、４、５、９中で第１の電力（たとえば、通常の非制限／非低減電力）で制御情報／データを送信し得る。ｅＮＢ８０６は、第２の電力と第１の電力との間の差がしきい値よりも小さいように第１の電力に基づいて第２の電力（たとえば、制限／低減電力）を判断し得る。ｅＮＢ８０６は、予約済みサブフレーム１、２、３、６、７、８中のシンボルのサブセット中で第２の電力で制御情報／データを送信し得る。シンボルのサブセットは、ｅＮＢ８０２、８０４のＭＢＳＦＮサブフレーム中のＰＭＣＨシンボルと同時に存在するかまたはそれらと衝突するＯＦＤＭシンボルを含む。ｅＮＢ８０２、８０４は、ＯＦＤＭシンボル０、１中で制御情報を送信し、ＭＢＳＦＮサブフレーム１、２、３、６、７、８内のＯＦＤＭシンボル２〜１１中でＰＭＣＨを送信すると仮定する。第１の構成では、ｅＮＢ８０６は、第２の電力で予約済みサブフレーム１、２、３、６、７、８のすべてのＯＦＤＭシンボル０〜１３上で制御情報／データを送信し得る。第２の構成では、ｅＮＢ８０６は、第１の電力で予約済みサブフレーム１、２、３、６、７、８のＯＦＤＭシンボル０、１上で制御情報／データを送信し、第２の電力で予約済みサブフレーム１、２、３、６、７、８のＯＦＤＭシンボル２〜１３上で制御情報／データを送信し得る。
【００６５】
ステップ１１１０、１１１２において、基地局は、予約済みサブフレーム中の制御シンボルをＭＢＳＦＮサブフレーム中の制御シンボルと整合させることを試み得る。特に、ステップ１１１０において、基地局は、制御情報を送信するために１つまたは複数の近隣基地局によって使用される判断されたサブフレームの各々中のシンボルの数を判断する。ステップ１１１２において、基地局は、制御情報を送信するために、等しい数のシンボル、またはシンボルの判断された数よりも少ないシンボルを使用することを判断する。ステップ１１０６において、予約済みサブフレーム中の制御シンボルをＭＢＳＦＮサブフレーム中の制御シンボルと整合させるために、基地局は、（たとえば、３のＯＦＤＭシンボルスパンをもつ）拡張ＰＨＩＣＨ持続時間を構成することを控え、代わりに、（たとえば、１のＯＦＤＭシンボルスパンをもつ）通常ＰＨＩＣＨ持続時間を構成する。ステップ１１０８において、ＵＥが、ＳＵ−ＭＩＭＯ、ＭＵ−ＭＩＭＯ、１６ＱＡＭ、または６４ＱＡＭを通して受信された信号を復号するために、シグナリングされたＴ／Ｐ比を使用するとき、基地局は、Ｔ／Ｐ変動問題を回避するために、判断されたサブフレーム中でのＱＰＳＫランク１シングルユーザ送信を用いてＵＥをスケジュールすることを試みる。制限／低減電力により、（動的に変化することができない）シグナリングされたＴ／Ｐ比よりも小さいＴ／Ｐ比が生じ、それにより復号に関する問題が生じる。
【００６６】
図１２は、ワイヤレス通信の第３の方法のフローチャート１２００である。本方法は、ｅＮＢ８０６などの基地局／ｅＮＢによって実行され得る。図１２は、図１０、図１１のポイントＡから続く。ステップ１２０２において、基地局は、制御情報を送信するために１つまたは複数の近隣基地局によって使用される判断されたサブフレームの各々中のシンボルを判断する。判断されたサブフレームの各々中の判断されたシンボルはシンボルの第１のセットであり、判断されたサブフレームの各々中の残りのシンボルはシンボルの第２のセットである。基地局のＰＤＣＣＨ／ＰＨＩＣＨ持続時間が１つまたは複数の近隣ｅＮＢのＰＤＣＣＨ／ＰＨＩＣＨ持続時間よりも大きい場合、経路１２０４に続く。ステップ１２１０において、基地局は、シンボルの第１のセット中で第１の電力で制御情報を送信する。ステップ１２１２において、基地局は、シンボルの第２のセットのシンボルの第１のサブセット中で第２の電力で制御情報を送信する。ステップ１２１４において、基地局は、シンボルの第２のセットのシンボルの第２のサブセット中で第２の電力でデータを送信する。たとえば、図９のサブフレーム９０４を参照すると、基地局のＰＤＣＣＨ／ＰＨＩＣＨ持続時間は３つのＯＦＤＭシンボルであり、１つまたは複数の近隣ｅＮＢのＰＤＣＣＨ／ＰＨＩＣＨ持続時間は２つのＯＦＤＭシンボルであると仮定する。その場合、経路１２０４に従う。経路１２０４に従って、基地局は、ＯＦＤＭシンボル０、１（シンボルの第１のセットは、ＭＢＳＦＮ制御シンボルと同時に存在するシンボル０、１を含む）中で第１の電力で制御情報を送信する。基地局は、ＯＦＤＭシンボル２〜１３のＯＦＤＭシンボル２（シンボルの第２のセットは、ＭＢＳＦＮＰＭＣＨシンボルと同時に存在するシンボル２〜１３を含む）中で第２の電力で制御情報を送信する。基地局は、ＯＦＤＭシンボル２〜１３のＯＦＤＭシンボル３〜１３中で第２の電力でデータを送信する。
【００６７】
基地局のＰＤＣＣＨ／ＰＨＩＣＨ持続時間が１つまたは複数の近隣ｅＮＢのＰＤＣＣＨ／ＰＨＩＣＨ持続時間に等しい場合、経路１２０８に続く。ステップ１２２２において、基地局は、シンボルの第１のセット中で第１の電力で制御情報を送信する。ステップ１２２４において、基地局は、シンボルの第２のセット中で第２の電力でデータを送信する。第２の電力は、シンボルの第２のセット中でデータが送信されないように０に等しくなり得る。たとえば、図９のサブフレーム９０６を参照すると、基地局のＰＤＣＣＨ／ＰＨＩＣＨ持続時間は２つのＯＦＤＭシンボルであり、１つまたは複数の近隣ｅＮＢのＰＤＣＣＨ／ＰＨＩＣＨ持続時間も２つのＯＦＤＭシンボルであると仮定する。その場合、経路１２０８に従う。経路１２０８に従って、基地局は、ＯＦＤＭシンボル０、１中で第１の電力で制御情報を送信する。基地局は、ＯＦＤＭシンボル２〜１３中で第２の電力でデータを送信する。
【００６８】
基地局のＰＤＣＣＨ／ＰＨＩＣＨ持続時間が１つまたは複数の近隣ｅＮＢのＰＤＣＣＨ／ＰＨＩＣＨ持続時間よりも小さい場合、経路１２０６に続く。ステップ１２１６において、基地局は、シンボルの第１のセットのシンボルの第１のサブセット中で第１の電力で制御情報を送信する。ステップ１２１８において、基地局は、シンボルの第１のセットのシンボルの第２のサブセット中で第１の電力でデータを送信する。ステップ１２２０において、基地局は、シンボルの第２のセット中で第２の電力でデータを送信する。たとえば、図９のサブフレーム９０８を参照すると、基地局のＰＤＣＣＨ／ＰＨＩＣＨ持続時間は１つＯＦＤＭシンボルであり、１つまたは複数の近隣ｅＮＢのＰＤＣＣＨ／ＰＨＩＣＨ持続時間は２つのＯＦＤＭシンボルであると仮定する。その場合、経路１２０６に従う。経路１２０６に従って、基地局は、ＯＦＤＭシンボル０、１のＯＦＤＭシンボル０中で第１の電力で制御情報を送信する。基地局は、ＯＦＤＭシンボル０、１のＯＦＤＭシンボル１中で第１の電力でデータを送信する。基地局は、ＯＦＤＭシンボル２〜１３中で第２の電力でデータを送信する。
【００６９】
図１３は、ワイヤレス通信の第４の方法のフローチャート１３００である。本方法は、ＵＥ８０８などのＵＥによって実行され得る。ステップ１３０２において、ＵＥは、無線フレーム中の、サービスを提供するために１つまたは複数の近隣基地局によって使用されるサブフレームを示す情報を基地局から受信する。ステップ１３０６において、ＵＥは、示されたサブフレームに基づいてＡＧＣ利得を調整する。その情報は、無線フレーム中の示されたサブフレームのうちの少なくとも１つと残りのサブフレームとの間の電力変動または示されたサブフレーム内のシンボル間の電力変動をさらに示し得る。そのような構成では、ＡＧＣ利得は、さらに電力変動に基づいて調整され得る。ステップ１３０４において、ＵＥは、無線フレーム中の、示されたサブフレーム中でデータなしの制御情報ならびに残りのサブフレーム中で制御情報およびデータを受信する。ステップ１３０６において、示されたサブフレーム中で制御情報を搬送するシンボルと残りのサブフレーム中で制御情報およびデータを搬送するシンボルとに基づいてＡＧＣ利得を調整する。ステップ１３０８において、ＵＥはＴ／Ｐ比を受信する。ステップ１３１０において、ＵＥは、無線フレーム中の示されたサブフレームと残りのサブフレームとの間の電力変動または示されたサブフレーム内のシンボル間の電力変動を示す情報を受信する。ステップ１３１２において、ＵＥは、Ｔ／Ｐ比と電力変動とに基づいて受信データを復号する。示されたサブフレームは、サービスを提供するために１つまたは複数の近隣基地局によって使用されるＭＢＳＦＮサブフレームと同時に存在し得る。
【００７０】
たとえば、図８を参照すると、ＵＥ８０８は、無線フレーム中のサブフレーム１、２、３、６、７、８がＭＢＳＦＮサービスをブロードキャストするためにｅＮＢ８０２、８０４によって使用されることを示す情報８１０をｅＮＢ８０６から受信し得る。ＵＥ８０８は、次いで、無線フレーム８０６’内のサブフレーム１、２、３、６、７、８が予約済みサブフレームであると判断し得る。ＵＥ８０８は、８１２において、予約済みサブフレーム１、２、３、６、７、８に基づいてＡＧＣ利得を調整し得る。情報８１０は、無線フレーム８０６’中の予約済みサブフレーム１、２、３、６、７、８と残りのサブフレーム０、４、５、９との間の電力変動および／または予約済みサブフレーム１、２、３、６、７、８内のＯＦＤＭシンボル間の電力変動をさらに含み得る。図９を参照すると、サブフレーム９０６では、ＵＥ８０８は、予約済みサブフレーム１、２、３、６、７、８中でデータなしの（データのための制限／低減電力が０である）制御情報ならびに無線フレーム９０２中の残りのサブフレーム０、４、５、９中で制御情報およびデータを受信し得る。ＡＧＣ利得は、予約済みサブフレーム１、２、３、６、７、８中で制御情報を搬送するＯＦＤＭシンボル０、１と、残りのサブフレーム０、４、５、９中で制御情報およびデータを搬送するＯＦＤＭシンボル０〜１３とに基づいて調整され得る。ＵＥ８０８は、Ｔ／Ｐ比と、無線フレーム８０６’中の予約済みサブフレーム１、２、３、６、７、８と残りのサブフレーム０、４、５、９との間の電力変動および／または予約済みサブフレーム１、２、３、６、７、８内のＯＦＤＭシンボル間の電力変動を示す情報とを受信し得る。ＵＥ８０８は、Ｔ／Ｐ比と電力変動とに基づいて予約済みサブフレーム１、２、３、６、７、８中で受信されたデータを復号し得る。
【００７１】
図１４は、例示的なｅＮＢ／基地局装置１４０２中の異なるモジュール／手段／構成要素間のデータフローを示す概念データフロー図１４００である。基地局は、無線フレーム中の、サービスを提供するために１つまたは複数の近隣基地局によって使用されるサブフレームを判断し得る予約済みサブフレーム判断モジュール１４０４を含む。予約済みサブフレーム判断モジュールは、（たとえば、バックホール接続を通して）１つまたは複数の近隣基地局によって与えられるか、または何らかの他のネットワークエンティティによって与えられる情報を通してサービスを提供するために１つまたは複数の近隣基地局によって使用されるサブフレームを判断し得る。予約済みサブフレーム判断モジュール１４０４は、予約済みサブフレーム情報を送信モジュール１４０６に与え得、送信モジュール１４０６は、判断されたサブフレームを示す情報をＵＥ１４５０に送り得る。その情報は、無線フレーム中の判断されたサブフレームと残りのサブフレームとの間の電力変動および／または判断されたサブフレーム内のシンボル間の電力変動をさらに示し得る。その情報はＴ／Ｐ比をさらに示し得る。予約済みサブフレーム判断モジュール１４０４は、予約済みサブフレーム情報を電力制御モジュール１４０８に与え得、電力制御モジュール１４０８は第１の電力と第２の電力とを判断し得る。電力制御モジュール１４０８は、判断された電力情報を送信モジュール１４０６に与え得、送信モジュール１４０６は、第１の電力で、判断されたサブフレームの各々中のシンボルの第１のセット中で制御情報および／またはデータを送信し得、第２の電力で、判断されたサブフレームの各々中のシンボルの第２のセット中で制御情報および／またはデータを送信し得る。第１の電力は第２の電力に等しくなり得る。そのような構成では、電力制御モジュール１４０８は、第３の電力を判断し、その電力情報を送信モジュール１４０６に与え得、送信モジュール１４０６は、第１の電力および第２の電力よりも大きい第３の電力で、無線フレーム中の判断されたサブフレーム以外の無線フレーム中の残りのサブフレームを送信し得る。第２の電力は第１の電力よりも小さくなり得る。そのような構成では、送信モジュール１４０６は、第１の電力で無線フレーム中の判断されたサブフレーム以外の無線フレーム中の残りのサブフレームを送信し得る。
【００７２】
予約済みサブフレーム判断モジュール１４０４は、制御情報を送信するために１つまたは複数の近隣基地局によって使用される判断されたサブフレームの各々中のシンボルを判断し得る。判断されたサブフレームの各々中の判断されたシンボルはシンボルの第１のセットであり得、判断されたサブフレームの各々中の残りのシンボルはシンボルの第２のセットであり得る。基地局のＰＤＣＣＨ／ＰＨＩＣＨ持続時間が１つまたは複数の近隣基地局のＰＤＣＣＨ／ＰＨＩＣＨ持続時間よりも大きいとき、送信モジュール１４０６は、シンボルの第１のセット中で第１の電力で制御情報を送信し、シンボルの第２のセットのシンボルの第１のサブセット中で第２の電力で制御情報を送信し、シンボルの第２のセットのシンボルの第２のサブセット中で第２の電力でデータを送信し得る。基地局のＰＤＣＣＨ／ＰＨＩＣＨ持続時間が１つまたは複数の近隣基地局のＰＤＣＣＨ／ＰＨＩＣＨ持続時間に等しいとき、送信モジュール１４０６は、シンボルの第１のセット中で第１の電力で制御情報を送信し、シンボルの第２のセット中で第２の電力でデータを送信し得る。第２の電力は、シンボルの第２のセット中でデータが送信されないように０に等しくなり得る。基地局のＰＤＣＣＨ／ＰＨＩＣＨ持続時間が１つまたは複数の近隣基地局のＰＤＣＣＨ／ＰＨＩＣＨ持続時間よりも小さいとき、送信モジュール１４０６は、シンボルの第１のセットのシンボルの第１のサブセット中で第１の電力で制御情報を送信し、シンボルの第１のセットのシンボルの第２のサブセット中で第１の電力でデータを送信し、シンボルの第２のセット中で第２の電力でデータを送信し得る。判断されたサブフレームは、１つまたは複数の近隣基地局によって使用されるＭＢＳＦＮサブフレームと同時に存在し得る。それらのシンボルはＯＦＤＭシンボルであり得る。
【００７３】
予約済みサブフレーム判断モジュール１４０４は、無線フレーム中の、サービスを提供するために１つまたは複数の近隣基地局によって使用されるサブフレームを判断し得る。予約済みサブフレーム判断モジュール１４０４は、予約済みサブフレーム情報を電力制御モジュール１４０８と送信モジュール１４０６とに与え得る。電力制御モジュール１４０８は、制御情報および／またはデータを送信するための第１の電力を判断し得る。電力制御モジュール１４０８は、判断された電力情報を送信モジュール１４０６に与え得、送信モジュール１４０６は、無線フレーム中の判断されたサブフレーム以外の残りのサブフレーム中で第１の電力で送信し得る。電力制御モジュール１４０８は、第２の電力と第１の電力との間の差がしきい値よりも小さいように第１の電力に基づいて第２の電力を判断し得る。第２の電力は第１の電力よりも小さくなり得る。電力制御モジュール１４０８は、判断された電力情報を送信モジュール１４０８に与え得、送信モジュール１４０８は、判断されたサブフレーム中のシンボルのサブセット中で第２の電力で送信し得る。
【００７４】
予約済みサブフレーム判断モジュール１４０４は、予約済みサブフレーム情報を、整合、構成、およびスケジューリングモジュール１４１０に与え得る。整合、構成、およびスケジューリングモジュール１４１０は、制御情報を送信するために１つまたは複数の近隣基地局によって使用される判断されたサブフレームの各々中のシンボルの数を判断し、制御情報を送信するために、等しい数のシンボル、またはシンボルの判断された数よりも少ないシンボルを使用することを判断し得る。整合、構成、およびスケジューリングモジュール１４１０は、拡張ＰＨＩＣＨ持続時間を構成することを控え、代わりに、通常ＰＨＩＣＨ持続時間を構成し得る。整合、構成、およびスケジューリングモジュール１４１０は、判断されたサブフレーム中でのＱＰＳＫランク１シングルユーザ送信を用いてＵＥをスケジュールすることを試み得る。
【００７５】
本装置は、図１０〜図１２の上述のフローチャート中のアルゴリズムのステップの各々を実行する追加のモジュールを含み得る。したがって、図１０〜図１２の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７６】
図１５は、処理システム１５１４を採用するｅＮＢ装置１４０２’のためのハードウェア実装形態の一例を示す図１５００である。処理システム１５１４は、バス１５２４によって概略的に表されるバスアーキテクチャを用いて実装され得る。バス１５２４は、処理システム１５１４の特定の適用例および全体的な設計制約に応じて、任意の数の相互接続バスおよびブリッジを含み得る。バス１５２４は、プロセッサ１５０４によって表される１つまたは複数のプロセッサおよび／またはハードウェアモジュールと、モジュール１４０４、１４０６、１４０８、１４１０と、コンピュータ可読媒体１５０６とを含む様々な回路を互いにリンクする。バス１５２４はまた、タイミングソース、周辺機器、電圧調整器、および電力管理回路など、様々な他の回路をリンクし得るが、これらの回路は当技術分野においてよく知られており、したがって、これ以上説明しない。
【００７７】
処理システム１５１４はトランシーバ１５１０に結合され得る。トランシーバ１５１０は、１つまたは複数のアンテナ１５２０に結合される。トランシーバ１５１０は、伝送媒体上で様々な他の装置と通信するための手段を与える。処理システム１５１４は、コンピュータ可読媒体１５０６に結合されたプロセッサ１５０４を含む。プロセッサ１５０４は、コンピュータ可読媒体１５０６に記憶されたソフトウェアの実行を含む一般的な処理を担当する。ソフトウェアは、プロセッサ１５０４によって実行されたとき、処理システム１５１４に、特定の装置のための上記で説明した様々な機能を実行させる。コンピュータ可読媒体１５０６はまた、ソフトウェアを実行するときにプロセッサ１５０４によって操作されるデータを記憶するために使用され得る。処理システムは、モジュール１４０４、１４０６、１４０８、および１４１０のうちの少なくとも１つをさらに含む。それらのモジュールは、プロセッサ１５０４中で動作するか、コンピュータ可読媒体１５０６中に常駐する／記憶されたソフトウェアモジュールであるか、プロセッサ１５０４に結合された１つまたは複数のハードウェアモジュールであるか、またはそれらの何らかの組合せであり得る。処理システム１５１４は、ｅＮＢ６１０の構成要素であり得、メモリ６７６および／またはＴＸプロセッサ６１６と、ＲＸプロセッサ６７０と、コントローラ／プロセッサ６７５とのうちの少なくとも１つを含み得る。
【００７８】
第１の構成では、ワイヤレス通信のための装置１４０２／１４０２’は、無線フレーム中の、サービスを提供するために１つまたは複数の近隣基地局によって使用されるサブフレームを判断するための手段を含む。本装置は、判断されたサブフレームを示す情報をＵＥに送るための手段をさらに含む。本装置は、第１の電力で、判断されたサブフレームの各々中のシンボルの第１のセット中で制御情報またはデータのうちの少なくとも１つを送信するための手段と、第２の電力で、判断されたサブフレームの各々中のシンボルの第２のセット中で制御情報またはデータのうちの少なくとも１つを送信するための手段とをさらに含み得る。第１の電力は第２の電力に等しくなり得る。そのような構成では、本装置は、第１の電力および第２の電力よりも大きい第３の電力で、無線フレーム中の判断されたサブフレーム以外の無線フレーム中の残りのサブフレームを送信するための手段をさらに含む。第２の電力は第１の電力よりも小さくなり得る。そのような構成では、本装置は、第１の電力で無線フレーム中の判断されたサブフレーム以外の無線フレーム中の残りのサブフレームを送信するための手段をさらに含む。本装置は、制御情報を送信するために１つまたは複数の近隣基地局によって使用される判断されたサブフレームの各々中のシンボルを判断するための手段をさらに含み得る。判断されたサブフレームの各々中の判断されたシンボルはシンボルの第１のセットであり得、判断されたサブフレームの各々中の残りのシンボルはシンボルの第２のセットであり得る。判断されたサブフレームの各々中の、シンボルの第１のセットとシンボルの第２のセットとの中で送信するための手段は、シンボルの第１のセット中で第１の電力で制御情報を送信するための手段と、シンボルの第２のセットのシンボルの第１のサブセット中で第２の電力で制御情報を送信するための手段と、シンボルの第２のセットのシンボルの第２のサブセット中で第２の電力でデータを送信するための手段とを含み得る。判断されたサブフレームの各々中の、シンボルの第１のセットとシンボルの第２のセットとの中で送信するための手段は、シンボルの第１のセット中で第１の電力で制御情報を送信するための手段と、シンボルの第２のセット中で第２の電力でデータを送信するための手段とを含み得る。判断されたサブフレームの各々中の、シンボルの第１のセットとシンボルの第２のセットとの中で送信するための手段は、シンボルの第１のセットのシンボルの第１のサブセット中で第１の電力で制御情報を送信するための手段と、シンボルの第１のセットのシンボルの第２のサブセット中で第１の電力でデータを送信するための手段と、シンボルの第２のセット中で第２の電力でデータを送信するための手段とを含み得る。上述の手段は、上述の手段によって具陳される機能を実行するように構成された、装置１４０２、および／または装置１４０２’の処理システム１５１４の上述のモジュールのうちの１つまたは複数であり得る。上記で説明したように、処理システム１５１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００７９】
第２の構成では、ワイヤレス通信のための装置１４０２／１４０２’は、制御情報を送信するために１つまたは複数の近隣基地局によって使用される判断されたサブフレームの各々中のシンボルの数を判断するための手段と、制御情報を送信するために、等しい数のシンボル、またはシンボルの判断された数よりも少ないシンボルを使用することを判断するための手段とを含む。本装置は、拡張ＰＨＩＣＨ持続時間を構成することを控えるための手段をさらに含み得る。本装置は、判断されたサブフレーム中でのＱＰＳＫランク１シングルユーザ送信を用いてＵＥをスケジュールするための手段をさらに含み得る。本装置は、制御情報を送信するために１つまたは複数の近隣基地局によって使用される判断されたサブフレームの各々中のシンボルを判断するための手段をさらに含み得る。判断されたサブフレームの各々中の判断されたシンボルはシンボルの第１のセットであり得、判断されたサブフレームの各々中の残りのシンボルはシンボルの第２のセットであり得る。本装置は、シンボルの第１のセット中で第１の電力で制御情報を送信するための手段をさらに含み得る。判断されたサブフレーム中のシンボルのサブセット中で第２の電力で送信するための手段は、シンボルの第２のセットのシンボルの第１のサブセット中で第２の電力で制御情報を送信するための手段と、シンボルの第２のセットのシンボルの第２のサブセット中で第２の電力でデータを送信するための手段とを含み得る。本装置は、シンボルの第１のセット中で第１の電力で制御情報を送信するための手段をさらに含み得る。判断されたサブフレーム中のシンボルのサブセット中で第２の電力で送信するための手段は、シンボルの第２のセット中で第２の電力でデータを送信するための手段を含み得る。本装置は、シンボルの第１のセットのシンボルの第１のサブセット中で第１の電力で制御情報を送信するための手段と、シンボルの第１のセットのシンボルの第２のサブセット中で第１の電力でデータを送信するための手段とを含み得る。判断されたサブフレーム中のシンボルのサブセット中で第２の電力で送信するための手段は、シンボルの第２のセット中で第２の電力でデータを送信するための手段を含み得る。上述の手段は、上述の手段によって具陳される機能を実行するように構成された、装置１４０２、および／または装置１４０２’の処理システム１５１４の上述のモジュールのうちの１つまたは複数であり得る。上記で説明したように、処理システム１５１４は、ＴＸプロセッサ６１６と、ＲＸプロセッサ６７０と、コントローラ／プロセッサ６７５とを含み得る。したがって、一構成では、上述の手段は、上述の手段によって具陳された機能を実行するように構成されたＴＸプロセッサ６１６と、ＲＸプロセッサ６７０と、コントローラ／プロセッサ６７５とであり得る。
【００８０】
図１６は、例示的なＵＥ装置１６０２中の異なるモジュール／手段／構成要素間のデータフローを示す概念データフロー図１６００である。ＵＥ１６０２は、基地局１６５０から制御情報／データを受信する受信モジュール１６０４を含み、無線フレーム中の、サービスを提供するために１つまたは複数の近隣基地局によって使用されるサブフレームを示す情報を基地局から受信し得る。受信モジュール１６０４は、予約済みサブフレーム情報を予約済みサブフレーム判断モジュール１６０６に与え得、予約済みサブフレーム判断モジュール１６０６は、どのサブフレームが予約済みサブフレームであるかを判断する。予約済みサブフレーム判断モジュール１６０６は、予約済みサブフレーム情報をＡＧＣ利得調整モジュール１６０８に与え得る。受信モジュール１６０４は、制御情報／データをＡＧＣ利得調整モジュール１６０８に与え得る。ＡＧＣ利得調整モジュール１６０８は、示されたサブフレームに基づいてＡＧＣ利得を調整し得る。受信された情報は、無線フレーム中の示されたサブフレームのうちの少なくとも１つと残りのサブフレームとの間の電力変動または示されたサブフレーム内のシンボル間の電力変動をさらに含み得る。受信モジュール１６０４は、電力変動情報をＡＧＣ利得調整モジュール１６０８に与え得、ＡＧＣ利得調整モジュール１６０８は、さらに電力変動に基づいてＡＧＣ利得を調整し得る。受信モジュール１６０４は、無線フレーム中の、示されたサブフレーム中でデータなしの制御情報ならびに残りのサブフレーム中で制御情報およびデータを受信し得る。そのような構成では、ＡＧＣ利得調整モジュール１６０８は、示されたサブフレーム中で制御情報を搬送するシンボルと残りのサブフレーム中で制御情報およびデータを搬送するシンボルとに基づいてＡＧＣ利得を調整し得る。受信モジュール１６０４は基地局１６５０からＴ／Ｐ比を受信し得る。受信モジュール１６０４は、無線フレーム中の示されたサブフレームのうちの少なくとも１つと残りのサブフレームとの間の電力変動または示されたサブフレーム内のシンボル間の電力変動を示す情報を受信し得る。受信モジュール１６０４は、Ｔ／Ｐ比と電力変動情報とを復号モジュール１６１０に与え得、復号モジュール１６１０は、Ｔ／Ｐ比と電力変動とに基づいて受信データを復号し得る。示されたサブフレームは、サービスを提供するために１つまたは複数の近隣基地局によって使用されるＭＢＳＦＮサブフレームと同時に存在し得る。
【００８１】
本装置は、図１３の上述のフローチャート中のアルゴリズムのステップの各々を実行する追加のモジュールを含み得る。したがって、図１３の上述のフローチャート中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８２】
図１７は、処理システム１７１４を採用するＵＥ装置１６０２’のためのハードウェア実装形態の一例を示す図１７００である。処理システム１７１４は、バス１７２４によって概略的に表されるバスアーキテクチャを用いて実装され得る。バス１７２４は、処理システム１７１４の特定の適用例および全体的な設計制約に応じて、任意の数の相互接続バスおよびブリッジを含み得る。バス１７２４は、プロセッサ１７０４によって表される１つまたは複数のプロセッサおよび／またはハードウェアモジュールと、モジュール１６０４、１６０６、１６０８、１６１０と、コンピュータ可読媒体１７０６とを含む様々な回路を互いにリンクする。バス１７２４はまた、タイミングソース、周辺機器、電圧調整器、および電力管理回路など、様々な他の回路をリンクし得るが、これらの回路は当技術分野においてよく知られており、したがって、これ以上説明しない。
【００８３】
処理システム１７１４はトランシーバ１７１０に結合され得る。トランシーバ１７１０は、１つまたは複数のアンテナ１７２０に結合される。トランシーバ１７１０は、伝送媒体上で様々な他の装置と通信するための手段を与える。処理システム１７１４は、コンピュータ可読媒体１７０６に結合されたプロセッサ１７０４を含む。プロセッサ１７０４は、コンピュータ可読媒体１７０６に記憶されたソフトウェアの実行を含む一般的な処理を担当する。ソフトウェアは、プロセッサ１７０４によって実行されたとき、処理システム１７１４に、特定の装置のための上記で説明した様々な機能を実行させる。コンピュータ可読媒体１７０６はまた、ソフトウェアを実行するときにプロセッサ１７０４によって操作されるデータを記憶するために使用され得る。処理システムは、モジュール１６０４、１６０６、１６０８、および１６１０のうちの少なくとも１つをさらに含む。それらのモジュールは、プロセッサ１７０４中で動作するか、コンピュータ可読媒体１７０６中に常駐する／記憶されたソフトウェアモジュールであるか、プロセッサ１７０４に結合された１つまたは複数のハードウェアモジュールであるか、またはそれらの何らかの組合せであり得る。処理システム１７１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００８４】
一構成では、ワイヤレス通信のための装置１６０２／１６０２’は、無線フレーム中の、サービスを提供するために１つまたは複数の近隣基地局によって使用されるサブフレームを示す情報を基地局から受信するための手段を含む。本装置は、示されたサブフレームに基づいてＡＧＣ利得を調整するための手段をさらに含む。本装置は、無線フレーム中の、示されたサブフレーム中でデータなしの制御情報ならびに残りのサブフレーム中で制御情報およびデータを受信するための手段をさらに含み得る。そのような構成では、ＡＧＣ利得は、示されたサブフレーム中で制御情報を搬送するシンボルと残りのサブフレーム中で制御情報およびデータを搬送するシンボルとに基づいて調整される。本装置は、Ｔ／Ｐ比を受信するための手段と、無線フレーム中の示されたサブフレームのうちの少なくとも１つと残りのサブフレームとの間の電力変動または示されたサブフレーム内のシンボル間の電力変動を示す情報を受信するための手段と、Ｔ／Ｐ比と電力変動とに基づいて受信データを復号するための手段とをさらに含み得る。上述の手段は、上述の手段によって具陳される機能を実行するように構成された、装置１６０２、および／または装置１６０２’の処理システム１７１４の上述のモジュールのうちの１つまたは複数であり得る。上記で説明したように、処理システム１７１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００８５】
近隣ｅＮＢによってブロードキャストされるＭＢＳＦＮ信号への干渉を低減するために、予約済みセルが制限／低減電力で送信するサブフレーム／シンボルにわたる予約済みセル電力変動に関係するＵＥ  ＡＧＣ利得調整、復号エラー、および／または他の問題を低減するための方法を上記で提供した。ユニキャストサービスを提供する近隣ｅＮＢへの干渉を低減するために、ｅＮＢが制限／低減電力で送信するサブフレーム／シンボルにわたるセル電力変動に関係するＵＥ  ＡＧＣ利得調整、復号エラー、および／または他の問題を低減するための提供された方法はまた、異種ネットワークに適用可能である。
【００８６】
開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００８７】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］  無線フレーム中の、サービスを提供するために１つまたは複数の近隣基地局によって使用されるサブフレームを判断することと、
前記判断されたサブフレームを示す情報をユーザ機器（ＵＥ）に送ることと
を備える、基地局のワイヤレス通信の方法。
［Ｃ２］  前記情報が、前記無線フレーム中の前記判断されたサブフレームのうちの少なくとも１つと残りのサブフレームとの間の電力変動または前記判断されたサブフレーム内のシンボル間の電力変動をさらに示す、Ｃ１に記載の方法。
［Ｃ３］  第１の電力で前記判断されたサブフレームの各々中のシンボルの第１のセット中で制御情報またはデータのうちの少なくとも１つを送信することと、
第２の電力で前記判断されたサブフレームの各々中のシンボルの第２のセット中で制御情報またはデータのうちの少なくとも１つを送信することと
をさらに備える、Ｃ１に記載の方法。
［Ｃ４］  前記第１の電力が前記第２の電力に等しく、前記方法が、前記第１の電力および前記第２の電力よりも大きい第３の電力で、前記無線フレーム中の前記判断されたサブフレーム以外の前記無線フレーム中の残りのサブフレームを送信することをさらに備える、Ｃ３に記載の方法。
［Ｃ５］  前記第２の電力が前記第１の電力よりも小さい、Ｃ３に記載の方法。
［Ｃ６］  前記第１の電力で前記無線フレーム中の前記判断されたサブフレーム以外の前記無線フレーム中の残りのサブフレームを送信することをさらに備える、Ｃ５に記載の方法。
［Ｃ７］  制御情報を送信するために前記１つまたは複数の近隣基地局によって使用される前記判断されたサブフレームの各々中のシンボルを判断することをさらに備え、前記判断されたサブフレームの各々中の前記判断されたシンボルがシンボルの前記第１のセットであり、前記判断されたサブフレームの各々中の残りのシンボルがシンボルの前記第２のセットである、Ｃ５に記載の方法。
［Ｃ８］  前記判断されたサブフレームの各々中の、シンボルの前記第１のセットとシンボルの前記第２のセットとの中で前記送信することが、
シンボルの前記第１のセット中で前記第１の電力で制御情報を送信することと、
シンボルの前記第２のセットのシンボルの第１のサブセット中で前記第２の電力で制御情報を送信することと、
シンボルの前記第２のセットのシンボルの第２のサブセット中で前記第２の電力でデータを送信することと
を備える、Ｃ７に記載の方法。
［Ｃ９］  前記判断されたサブフレームの各々中の、シンボルの前記第１のセットとシンボルの前記第２のセットとの中で前記送信することが、
シンボルの前記第１のセット中で前記第１の電力で制御情報を送信することと、
シンボルの前記第２のセット中で前記第２の電力でデータを送信することと
を備える、Ｃ７に記載の方法。
［Ｃ１０］  前記第２の電力は、シンボルの前記第２のセット中でデータが送信されないように０に等しい、Ｃ９に記載の方法。
［Ｃ１１］  前記判断されたサブフレームの各々中の、シンボルの前記第１のセットとシンボルの前記第２のセットとの中で前記送信することが、
シンボルの前記第１のセットのシンボルの第１のサブセット中で前記第１の電力で制御情報を送信することと、
シンボルの前記第１のセットのシンボルの第２のサブセット中で前記第１の電力でデータを送信することと、
シンボルの前記第２のセット中で前記第２の電力でデータを送信することと
を備える、Ｃ７に記載の方法。
［Ｃ１２］  前記判断されたサブフレームが、前記１つまたは複数の近隣基地局によって使用されるマルチキャストブロードキャスト単一周波数ネットワーク（ＭＢＳＦＮ）サブフレームと同時に存在する、Ｃ１に記載の方法。
［Ｃ１３］  前記シンボルが直交周波数分割多重化（ＯＦＤＭ）シンボルである、Ｃ１に記載の方法。
［Ｃ１４］  無線フレーム中の、サービスを提供するために１つまたは複数の近隣基地局によって使用されるサブフレームを判断することと、
前記無線フレーム中の前記判断されたサブフレーム以外の残りのサブフレーム中で第１の電力で送信することと、
第２の電力と前記第１の電力との間の差がしきい値よりも小さいように前記第１の電力に基づいて前記第２の電力を判断することであって、前記第２の電力が前記第１の電力よりも小さい、判断することと、
前記判断されたサブフレーム中のシンボルのサブセット中で前記第２の電力で送信することと
を備える、基地局のワイヤレス通信の方法。
［Ｃ１５］  制御情報を送信するために前記１つまたは複数の近隣基地局によって使用される前記判断されたサブフレームの各々中のシンボルの数を判断することと、
制御情報を送信するために、等しい数のシンボル、またはシンボルの前記判断された数よりも少ないシンボルを使用することを判断することと
をさらに備える、Ｃ１４に記載の方法。
［Ｃ１６］  拡張物理ハイブリッド自動再送要求インジケータチャネル（ＰＨＩＣＨ）持続時間を構成することを控えることをさらに備える、Ｃ１４に記載の方法。
［Ｃ１７］  前記判断されたサブフレーム中での４位相シフトキーイング（ＱＰＳＫ）ランク１シングルユーザ送信を用いてユーザ機器（ＵＥ）をスケジュールすることをさらに備える、Ｃ１４に記載の方法。
［Ｃ１８］  制御情報を送信するために前記１つまたは複数の近隣基地局によって使用される前記判断されたサブフレームの各々中のシンボルを判断することをさらに備え、前記判断されたサブフレームの各々中の前記判断されたシンボルがシンボルの前記第１のセットであり、前記判断されたサブフレームの各々中の残りのシンボルがシンボルの前記第２のセットである、Ｃ１４に記載の方法。
［Ｃ１９］  シンボルの前記第１のセット中で前記第１の電力で制御情報を送信することをさらに備え、
前記判断されたサブフレーム中のシンボルのサブセット中で前記第２の電力で前記送信することが、
シンボルの前記第２のセットのシンボルの第１のサブセット中で前記第２の電力で制御情報を送信することと、
シンボルの前記第２のセットのシンボルの第２のサブセット中で前記第２の電力でデータを送信することと
を備える、Ｃ１８に記載の方法。
［Ｃ２０］  シンボルの前記第１のセット中で前記第１の電力で制御情報を送信することをさらに備え、
前記判断されたサブフレーム中のシンボルのサブセット中で前記第２の電力で前記送信することが、シンボルの前記第２のセット中で前記第２の電力でデータを送信することを備える、Ｃ１８に記載の方法。
［Ｃ２１］  シンボルの前記第１のセットのシンボルの第１のサブセット中で前記第１の電力で制御情報を送信することと、
シンボルの前記第１のセットのシンボルの第２のサブセット中で前記第１の電力でデータを送信することと
をさらに備え、
前記判断されたサブフレーム中のシンボルのサブセット中で前記第２の電力で前記送信することが、シンボルの前記第２のセット中で前記第２の電力でデータを送信することを備える、Ｃ１８に記載の方法。
［Ｃ２２］  無線フレーム中の、サービスを提供するために１つまたは複数の近隣基地局によって使用されるサブフレームを示す情報を基地局から受信することと、
前記示されたサブフレームに基づいて自動利得制御（ＡＧＣ）利得を調整することと
を備える、ワイヤレス通信の方法。
［Ｃ２３］  前記情報が、前記無線フレーム中の前記示されたサブフレームのうちの少なくとも１つと残りのサブフレームとの間の電力変動または前記示されたサブフレーム内のシンボル間の電力変動をさらに含み、前記ＡＧＣ利得が、さらに前記電力変動に基づいて調整される、Ｃ２２に記載の方法。
［Ｃ２４］  前記無線フレーム中の、前記示されたサブフレーム中でデータなしの制御情報ならびに残りのサブフレーム中で制御情報およびデータを受信することをさらに備え、前記ＡＧＣ利得が、前記示されたサブフレーム中で前記制御情報を搬送するシンボルと、前記残りのサブフレーム中で前記制御情報および前記データを搬送するシンボルとに基づいて調整される、Ｃ２２に記載の方法。
［Ｃ２５］  トラフィック対パイロット比を受信することと、
前記無線フレーム中の前記示されたサブフレームのうちの少なくとも１つと残りのサブフレームとの間の電力変動または前記示されたサブフレーム内のシンボル間の電力変動を示す情報を受信することと、
前記トラフィック対パイロット比と前記電力変動とに基づいて受信データを復号することと
をさらに備える、Ｃ２２に記載の方法。
［Ｃ２６］  前記示されたサブフレームが、サービスを提供するために前記１つまたは複数の近隣基地局によって使用されるマルチキャストブロードキャスト単一周波数ネットワーク（ＭＢＳＦＮ）サブフレームと同時に存在する、Ｃ２２に記載の方法。
［Ｃ２７］  無線フレーム中の、サービスを提供するために１つまたは複数の近隣基地局によって使用されるサブフレームを判断するための手段と、
前記判断されたサブフレームを示す情報をユーザ機器（ＵＥ）に送るための手段と
を備える、ワイヤレス通信のための基地局装置。
［Ｃ２８］  前記情報が、前記無線フレーム中の前記判断されたサブフレームのうちの少なくとも１つと残りのサブフレームとの間の電力変動または前記判断されたサブフレーム内のシンボル間の電力変動をさらに示す、Ｃ２７に記載の装置。
［Ｃ２９］  第１の電力で前記判断されたサブフレームの各々中のシンボルの第１のセット中で制御情報またはデータのうちの少なくとも１つを送信するための手段と、
第２の電力で前記判断されたサブフレームの各々中のシンボルの第２のセット中で制御情報またはデータのうちの少なくとも１つを送信するための手段と
をさらに備える、Ｃ２７に記載の装置。
［Ｃ３０］  前記第１の電力が前記第２の電力に等しく、前記装置が、前記第１の電力および前記第２の電力よりも大きい第３の電力で、前記無線フレーム中の前記判断されたサブフレーム以外の前記無線フレーム中の残りのサブフレームを送信するための手段をさらに備える、Ｃ２９に記載の装置。
［Ｃ３１］  前記第２の電力が前記第１の電力よりも小さい、Ｃ２９に記載の装置。
［Ｃ３２］  前記第１の電力で前記無線フレーム中の前記判断されたサブフレーム以外の前記無線フレーム中の残りのサブフレームを送信するための手段をさらに備える、Ｃ３１に記載の装置。
［Ｃ３３］  制御情報を送信するために前記１つまたは複数の近隣基地局によって使用される前記判断されたサブフレームの各々中のシンボルを判断するための手段をさらに備え、前記判断されたサブフレームの各々中の前記判断されたシンボルがシンボルの前記第１のセットであり、前記判断されたサブフレームの各々中の残りのシンボルがシンボルの前記第２のセットである、Ｃ３１に記載の装置。
［Ｃ３４］  前記判断されたサブフレームの各々中の、シンボルの前記第１のセットとシンボルの前記第２のセットとの中で送信するための前記手段が、
シンボルの前記第１のセット中で前記第１の電力で制御情報を送信するための手段と、
シンボルの前記第２のセットのシンボルの第１のサブセット中で前記第２の電力で制御情報を送信するための手段と、
シンボルの前記第２のセットのシンボルの第２のサブセット中で前記第２の電力でデータを送信するための手段と
を備える、Ｃ３３に記載の装置。
［Ｃ３５］  前記判断されたサブフレームの各々中の、シンボルの前記第１のセットとシンボルの前記第２のセットとの中で送信するための前記手段が、
シンボルの前記第１のセット中で前記第１の電力で制御情報を送信するための手段と、
シンボルの前記第２のセット中で前記第２の電力でデータを送信するための手段と
を備える、Ｃ３３に記載の装置。
［Ｃ３６］  前記第２の電力は、シンボルの前記第２のセット中でデータが送信されないように０に等しい、Ｃ３５に記載の装置。
［Ｃ３７］  前記判断されたサブフレームの各々中の、シンボルの前記第１のセットとシンボルの前記第２のセットとの中で送信するための前記手段が、
シンボルの前記第１のセットのシンボルの第１のサブセット中で前記第１の電力で制御情報を送信するための手段と、
シンボルの前記第１のセットのシンボルの第２のサブセット中で前記第１の電力でデータを送信するための手段と、
シンボルの前記第２のセット中で前記第２の電力でデータを送信するための手段と
を備える、Ｃ３３に記載の装置。
［Ｃ３８］  前記判断されたサブフレームが、前記１つまたは複数の近隣基地局によって使用されるマルチキャストブロードキャスト単一周波数ネットワーク（ＭＢＳＦＮ）サブフレームと同時に存在する、Ｃ２７に記載の装置。
［Ｃ３９］  前記シンボルが直交周波数分割多重化（ＯＦＤＭ）シンボルである、Ｃ２７に記載の装置。
［Ｃ４０］  無線フレーム中の、サービスを提供するために１つまたは複数の近隣基地局によって使用されるサブフレームを判断するための手段と、
前記無線フレーム中の前記判断されたサブフレーム以外の残りのサブフレーム中で第１の電力で送信するための手段と、
第２の電力と前記第１の電力との間の差がしきい値よりも小さいように前記第１の電力に基づいて前記第２の電力を判断するための手段であって、前記第２の電力が前記第１の電力よりも小さい、判断するための手段と、
前記判断されたサブフレーム中のシンボルのサブセット中で前記第２の電力で送信するための手段と
を備える、ワイヤレス通信のための基地局装置。
［Ｃ４１］  制御情報を送信するために前記１つまたは複数の近隣基地局によって使用される前記判断されたサブフレームの各々中のシンボルの数を判断するための手段と、
制御情報を送信するために、等しい数のシンボル、またはシンボルの前記判断された数よりも少ないシンボルを使用することを判断するための手段と
をさらに備える、Ｃ４０に記載の装置。
［Ｃ４２］  拡張物理ハイブリッド自動再送要求インジケータチャネル（ＰＨＩＣＨ）持続時間を構成することを控えるための手段をさらに備える、Ｃ４０に記載の装置。
［Ｃ４３］  前記判断されたサブフレーム中での４位相シフトキーイング（ＱＰＳＫ）ランク１シングルユーザ送信を用いてユーザ機器（ＵＥ）をスケジュールするための手段をさらに備える、Ｃ４０に記載の装置。
［Ｃ４４］  制御情報を送信するために前記１つまたは複数の近隣基地局によって使用される前記判断されたサブフレームの各々中のシンボルを判断するための手段をさらに備え、前記判断されたサブフレームの各々中の前記判断されたシンボルがシンボルの前記第１のセットであり、前記判断されたサブフレームの各々中の残りのシンボルがシンボルの前記第２のセットである、Ｃ４０に記載の装置。
［Ｃ４５］  シンボルの前記第１のセット中で前記第１の電力で制御情報を送信するための手段をさらに備え、
前記判断されたサブフレーム中のシンボルのサブセット中で前記第２の電力で送信するための前記手段が、
シンボルの前記第２のセットのシンボルの第１のサブセット中で前記第２の電力で制御情報を送信するための手段と、
シンボルの前記第２のセットのシンボルの第２のサブセット中で前記第２の電力でデータを送信するための手段と
を備える、Ｃ４４に記載の装置。
［Ｃ４６］  シンボルの前記第１のセット中で前記第１の電力で制御情報を送信するための手段をさらに備え、
前記判断されたサブフレーム中のシンボルのサブセット中で前記第２の電力で送信するための前記手段が、シンボルの前記第２のセット中で前記第２の電力でデータを送信するための手段を備える、Ｃ４４に記載の装置。
［Ｃ４７］  シンボルの前記第１のセットのシンボルの第１のサブセット中で前記第１の電力で制御情報を送信するための手段と、
シンボルの前記第１のセットのシンボルの第２のサブセット中で前記第１の電力でデータを送信するための手段と
をさらに備え、
前記判断されたサブフレーム中のシンボルのサブセット中で前記第２の電力で送信するための前記手段が、シンボルの前記第２のセット中で前記第２の電力でデータを送信するための手段を備える、Ｃ４４に記載の装置。
［Ｃ４８］  無線フレーム中の、サービスを提供するために１つまたは複数の近隣基地局によって使用されるサブフレームを示す情報を基地局から受信するための手段と、
前記示されたサブフレームに基づいて自動利得制御（ＡＧＣ）利得を調整するための手段と
を備える、ワイヤレス通信のための装置。
［Ｃ４９］  前記情報が、前記無線フレーム中の前記示されたサブフレームのうちの少なくとも１つと残りのサブフレームとの間の電力変動または前記示されたサブフレーム内のシンボル間の電力変動をさらに含み、前記ＡＧＣ利得が、さらに前記電力変動に基づいて調整される、Ｃ４８に記載の装置。
［Ｃ５０］  前記無線フレーム中の、前記示されたサブフレーム中でデータなしの制御情報ならびに残りのサブフレーム中で制御情報およびデータを受信するための手段をさらに備え、前記ＡＧＣ利得が、前記示されたサブフレーム中で前記制御情報を搬送するシンボルと、前記残りのサブフレーム中で前記制御情報および前記データを搬送するシンボルとに基づいて調整される、Ｃ４８に記載の装置。
［Ｃ５１］  トラフィック対パイロット比を受信するための手段と、
前記無線フレーム中の前記示されたサブフレームのうちの少なくとも１つと残りのサブフレームとの間の電力変動または前記示されたサブフレーム内のシンボル間の電力変動を示す情報を受信するための手段と、
前記トラフィック対パイロット比と前記電力変動とに基づいて受信データを復号するための手段と
をさらに備える、Ｃ４８に記載の装置。
［Ｃ５２］  前記示されたサブフレームが、サービスを提供するために前記１つまたは複数の近隣基地局によって使用されるマルチキャストブロードキャスト単一周波数ネットワーク（ＭＢＳＦＮ）サブフレームと同時に存在する、Ｃ４８に記載の装置。
［Ｃ５３］  無線フレーム中の、サービスを提供するために１つまたは複数の近隣基地局によって使用されるサブフレームを判断することと、
前記判断されたサブフレームを示す情報をユーザ機器（ＵＥ）に送ることと
を行うように構成された処理システム
を備える、ワイヤレス通信のための基地局装置。
［Ｃ５４］  無線フレーム中の、サービスを提供するために１つまたは複数の近隣基地局によって使用されるサブフレームを判断することと、
前記無線フレーム中の前記判断されたサブフレーム以外の残りのサブフレーム中で第１の電力で送信することと、
第２の電力と前記第１の電力との間の差がしきい値よりも小さいように前記第１の電力に基づいて前記第２の電力を判断することであって、前記第２の電力が前記第１の電力よりも小さい、判断することと、
前記判断されたサブフレーム中のシンボルのサブセット中で前記第２の電力で送信することと
を行うように構成された処理システム
を備える、ワイヤレス通信のための基地局装置。
［Ｃ５５］  無線フレーム中の、サービスを提供するために１つまたは複数の近隣基地局によって使用されるサブフレームを示す情報を基地局から受信することと、
前記示されたサブフレームに基づいて自動利得制御（ＡＧＣ）利得を調整することと
を行うように構成された処理システム
を備える、ワイヤレス通信のための装置。
［Ｃ５６］  無線フレーム中の、サービスを提供するために１つまたは複数の近隣基地局によって使用されるサブフレームを判断することと、
前記判断されたサブフレームを示す情報をユーザ機器（ＵＥ）に送ることと
を行うためのコードを備えるコンピュータ可読媒体
を備える、基地局におけるコンピュータプログラム製品。
［Ｃ５７］  無線フレーム中の、サービスを提供するために１つまたは複数の近隣基地局によって使用されるサブフレームを判断することと、
前記無線フレーム中の前記判断されたサブフレーム以外の残りのサブフレーム中で第１の電力で送信することと、
第２の電力と前記第１の電力との間の差がしきい値よりも小さいように前記第１の電力に基づいて前記第２の電力を判断することであって、前記第２の電力が前記第１の電力よりも小さい、判断することと、
前記判断されたサブフレーム中のシンボルのサブセット中で前記第２の電力で送信することと
を行うためのコードを備えるコンピュータ可読媒体
を備える、基地局におけるコンピュータプログラム製品。
［Ｃ５８］  無線フレーム中の、サービスを提供するために１つまたは複数の近隣基地局によって使用されるサブフレームを示す情報を基地局から受信することと、
前記示されたサブフレームに基づいて自動利得制御（ＡＧＣ）利得を調整することと
を行うためのコードを備えるコンピュータ可読媒体
を備える、コンピュータプログラム製品。
【図１】
0005731067.tif 000013
【図２】
0005731067.tif 000014
【図３】
0005731067.tif 000015
【図４】
0005731067.tif 000016
【図５】
0005731067.tif 000017
【図６】
0005731067.tif 000018
【図７】
0005731067.tif 000019
【図８】
0005731067.tif 000020
【図９】
0005731067.tif 000021
【図１０】
0005731067.tif 000022
【図１１】
0005731067.tif 000023
【図１２】
0005731067.tif 000024
【図１３】
0005731067.tif 000025
【図１４】
0005731067.tif 000026
【図１５】
0005731067.tif 000027
【図１６】
0005731067.tif 000028
【図１７】
0005731067.tif 000029